(57)【要約】【課題】袋全体が低温でも柔軟で、袋に触れたときの手触りが良好であるとともに、袋からティッシュを取り出す際にカサカサと不快音を発しないポケットティッシュを得る。【解決手段】複数枚を折り畳んで重ねた状態に束ねたティッシュ２と、ティッシュ２を包装する扁平な四角形の袋３と、ティッシュ２を取り出すために袋３に設けられる取出口４とからなる。袋３を構成する袋基材５は、メタロセン触媒を使用して製造した直鎖状低密度ポリエチレンを主成分とする。【選択図】　　　　図１
2004081704.tif 000002
【特許請求の範囲】
【請求項１】
束ねたティッシュ２と、ティッシュ２を包装する扁平な四角形の袋３と、ティッシュ２を取り出すために袋３に設けられる取出口４とからなるポケットティッシュにおいて、
袋３を構成する袋基材５が、メタロセン触媒を使用して製造した直鎖状低密度ポリエチレンを主成分とすることを特徴とするポケットティッシュ。
【請求項２】
袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、
前方上面部７および後方上面部８の少なくとも一方の連出端に、内折り片１１・１２が内側に折り返し連出されており、
前方上面部７と後方上面部８と内折り片１１・１２とのうち、少なくとも前方上面部７と後方上面部８との左右端縁７ａ・７ａ・８ａ・８ａが、下面部６の左右端縁６ａ・６ａに熱融着されており、
前方上面部７と後方上面部８との間が、取出口４になっている請求項１記載のポケットティッシュ。
【請求項３】
前方上面部７と後方上面部８とが、内外に重なっている請求項２記載のポケットティッシュ。
【発明の詳細な説明】
【０００１】
【発明の属する技術分野】
本発明は、ティッシュを包む袋の材質に特徴を有するポケットティッシュに関する。
【０００２】
【従来の技術】
例えば図１２に示すごとく、束ねたティッシュ２と、これを包む扁平な四角形の袋３１と、ティッシュ２を取り出すために袋３１に形成される取出口３２とを備えたポケットティッシュは、実開昭５３−３０４７９号公報や特開２００１−１９９４８６号公報などに公知である。
【０００３】
【発明が解決しようとする課題】
かかる従来のポケットティッシュでは、袋３１を構成する基材が一般に無延伸ポリプロピレン（ＣＰＰ）や延伸ポリプロピレン（ＯＰＰ）などのフィルムで形成されている。これらの基材は材質的に丈夫であるが、袋３１がやや硬くなるため、袋３１からティッシュ２を取り出す際などにカサカサと不快音を発する。しかも袋３１に触れたときの手触りが悪いうえ、袋３１の角などが手に当たると痛くて使用時に不快感を与える。
【０００４】
とくに、従来の袋３１の基材は、低温になるとさらに硬くなって、不快音が大きくなる。
【０００５】
そこで本発明の目的は、袋全体が温度に関係なく常に柔軟で、袋に触れたときの手触りが良好であるとともに、袋からティッシュを取り出す際にカサカサと不快音を発しないポケットティッシュを提供することにある。
【０００６】
【課題を解決するための手段】
本発明に係るポケットティッシュは、図１に示すごとく、束ねたティッシュ２と、ティッシュ２を包装する扁平な四角形の袋３と、ティッシュ２を取り出すために袋３に設けられる取出口４とからなる。
【０００７】
かかる基本形態のポケットティッシュにおいて、本発明は、袋３を構成する袋基材５が、メタロセン触媒を使用して製造した直鎖状低密度ポリエチレンを主成分とすることを特徴とする。ここでの袋基材５は、直鎖状低密度ポリエチレンのみからなるものや、他の合成樹脂などを混合したものが含まれる。
【０００８】
袋３の具体的な形態としては、図１に示すごとく、袋基材５が、ティッシュ２の下面側を受ける下面部６と、下面部６の前方に連なってティッシュ２の上面前方部分を覆う前方上面部７と、下面部６の後方に連なってティッシュ２の上面後方部分を覆う後方上面部８とを有しており、前方上面部７および後方上面部８の少なくとも一方の連出端に、内折り片１１・１２が内側に折り返し連出されており、前方上面部７と後方上面部８と内折り片１１・１２とのうち、少なくとも前方上面部７と後方上面部８との左右端縁７ａ・７ａ・８ａ・８ａが、下面部６の左右端縁６ａ・６ａに熱融着されており、前方上面部７と後方上面部８との間が、取出口４になるようにすることができる。
【０００９】
なお、ここでの前後左右の位置関係は、説明の都合上の相対的なものである。
【００１０】
その際、前方上面部７と後方上面部８とは、前後方向に所定の幅を有して内外に重なるようにすることができる。
【００１１】
【発明の作用効果】
本発明によれば、袋基材５が、メタロセン触媒を使用して製造した直鎖状低密度ポリエチレンで形成されているので、袋３が全体的に柔軟になって、袋３に触れたときの手触りが良好で使用者に不快感を与えることを防止できる。袋３からティッシュ２を取り出す際にカサカサと不快音を発することがない。
【００１２】
袋基材５は、低温でも柔軟性が保持されて、冬季の屋外使用などでも使用者に不快感を与えることが防止され、さらにしっとり感や温感を有するうえ、滑り難くて持ち易いといった利点がある。低い温度でもヒートシールが可能なため、その温度を低くして袋３の熱変形を抑えて、ポケットティッシュの仕上がりを美しくできるとともに、ポケットティッシュの製造効率を高くできる。
【００１３】
袋３の取出口４において、袋基材５の前方上面部７と後方上面部８との連出端の少なくとも一方に、内折り片１１・１２が形成されていると、袋３全体が柔軟性を有していても、取出口４の開口縁が確りと自己保形されて強度アップが図られているので、形崩れをせず体裁の良いものとなる。両上面部７・８を前後に押し拡げることにより、取出口４を開放状態にして内部のティッシュ２を容易に引き出せることにもなる。不使用時には取出口４が確りと閉じられて、内部のティッシュ２が不用意に食み出すこともない。
【００１４】
前述の前方上面部７と後方上面部８とが内外に重なっていると、前方上面部７と後方上面部８とは、いったん開封したのちも不使用時には取出口４をより確実に閉じておくことができ、内部のティッシュ２が不用意に食み出した不粋な状態にならない。
【００１５】
【発明の実施の形態】
（第１実施例）　図１ないし図４は、本発明にかかるポケットティッシュの第１実施例を示す。このポケットティッシュ１は、図１に示すごとく、複数枚を折り畳んで重ねた状態に束ねたティッシュ２と、このティッシュ２の全体を包む扁平な四角形の袋３と、ティッシュ２を取り出すために袋３の上面に設けた取出口４とを備えている。ティッシュ２の目付は、例えば８〜３０ｇ／ｍ２　になっており、ティッシュ２のサイズは、２０５ｍｍ×２１０ｍｍ、１１５ｍｍ×１２０ｍｍおよび８０ｍｍ×１１５ｍｍなどになっている。
【００１６】
袋３を構成する袋基材５は、メタロセン触媒を使用して製造した直鎖状低密度ポリエチレン（ＬＬＤＰＥ）のシートで形成されおり、図２に示すごとく、ティッシュ２の下面２ａ側を受ける下面部６と、この下面部６の前方（図２の左側）に連なってティッシュ２の上面２ｂの前方部分（図１の左側）を覆う前方上面部７と、前記下面部６の後方（図２の右側）に連なってティッシュ２の上面２ｂの後方部分（図１の右側）を覆う後方上面部８とを有する。袋基材５の厚さは、例えば２０〜６０μｍになっている。袋基材５の厚さが２０μｍより薄いと、袋基材５が薄くなりすぎてポケットティッシュ１の保形性が不十分になり、袋基材５の厚さが６０μｍより厚いと、ごわごわして十分な柔軟性が得られないうえ、材料コストの点で不経済になる。
【００１７】
前方上面部７の連出端には、内折り片１１が内側に折り返し可能に連出されており、後方上面部８の連出端には、内折り片１２が内側に折り返し可能に連出されている。具体的には、袋３の左右幅が１２５ｍｍで前後幅が８５ｍｍのときに、前方上面部７の内折り片１１の前後幅を１０ｍｍ、後方上面部８の内折り片１２の前後幅を２０ｍｍに設定した。
【００１８】
そして、図１に示すごとく前方上面部７は内（下）側に、後方上面部８は外（上）側にそれぞれ前後方向に１０ｍｍ分の寸法で重ね、このラップ状態で下面部６の左右端縁６ａ・６ａに対して、前方上面部７の左右端縁７ａ・７ａと、後方上面部８の左右端縁８ａ・８ａと、内折り片１１の左右端縁１１ａ・１１ａと、内折り片１２の左右端縁１２ａ・１２ａとをそれぞれ熱融着（ヒートシール）して、図３に示す袋状に形成した。
【００１９】
この状態で、図１に示すごとく、内外に重なる前方上面部７と後方上面部８との間に、常態では閉じられた開閉可能な取出口４が形成されることになる。これによれば、図４に示すごとく、前方上面部７を前方に、後方上面部８を後方にそれぞれ押し拡げると、取出口４が開口状態になり、この取出口４からティッシュ２を外部に順次取り出すことができる。
【００２０】
袋基材５を形成する直鎖状低密度ポリエチレンは、例えば溶媒を使用しない気相法製造プロセスにおいてメタロセン触媒を使用して製造される。かかるメタロセン触媒は、エチレンに対して高い重合活性を有しており、さらに活性点が均一であるため、所望の分子量および組成のポリマーを、低分子量低密度などの不要な成分を含まずに高精度に得ることができる。この直鎖状低密度ポリエチレン製の袋基材５は、低融点でヒートシールが可能なため、袋３の熱変形を抑えて仕上がりを美しくできるとともに、ポケットティッシュの製造効率を高くできる。
【００２１】
袋基材５は、直鎖状低密度ポリエチレンのみで形成したものが望まれるが、直鎖状低密度ポリエチレンに当該ポリエチレン以外の樹脂などを混合又は複合してもよい。混合する樹脂としては、ポリプロピレン（ＰＰ）、ポリエチレンテレフタレート（ＰＥＴ）、ポリアミド系（ナイロン）およびアクリル系などの合成樹脂などが適用される。
【００２２】
直鎖状低密度ポリエチレンにコットンなどの天然繊維を混合又は複合してもよい。その場合、袋３に高級感を持たせることができる。袋基材５は、直鎖状低密度ポリエチレンからなる繊維を含んだ不織布であってもよい。その場合の不織布は、例えば、直鎖状低密度ポリエチレンを芯繊維にし、ポリプロピレンなどを鞘繊維にした芯鞘複合繊維で形成されているものであってもよい。
【００２３】
また、袋基材５は、直鎖状低密度ポリエチレンのシートあるいは不織布と、前述のポリプロピレンなどのシートあるいは不織布とを積層するものであってもよい。この場合、直鎖状低密度ポリエチレンの層の片面あるいは両面に、前記ポリエチレンなどのシートあるいは不織布の層が積層されることになる。
【００２４】
メタロセン触媒を使用して製造した直鎖状低密度ポリエチレンからなる袋３は、これ全体が柔軟になっており、袋３の手触り感が良好で使用者に不快感を与えることを防止できる。さらに、袋３からティッシュ２を取り出す際にカサカサないしパリパリと不快音を発することがなく、この点でも使用者に不快感を与えないものとなる。
【００２５】
袋３内の内側となる前方上面部７の内折り片１１は、全体がティッシュ２の上面２ｂに押圧作用し、前方上面部７の内折り片１１の前後幅寸法を後方上面部８の内折り片１２のそれよりも短い例えば１０ｍｍにすることが材料コストの面で好ましい。
【００２６】
袋基材５の表面には、広告などの各種の印刷が施される。袋基材５を透明にすることで、袋３内に名刺や広告台紙を収容して、ポケットティッシュを広告媒体に使用することもできる。
【００２７】
（第２実施例）　図５は、本発明にかかるポケットティッシュの第２実施例を示しており、袋基材５の前方上面部７の連出端にのみ内折り片１１が内側に折り返し可能に連出されており、後方上面部８の連出端の内折り片１２が省略されていて、前方上面部７の上面に後方上面部８が重なっている。その他の構成は第１実施例と実質的に同じであるため、同一部材には同一符号を付して説明を省略する。この場合、後方上面部８の内折り片１２が省略されている分だけ全体の材料コストを低減化できる。
【００２８】
（第３実施例）　図６は、本発明にかかるポケットティッシュの第３実施例を示しており、袋基材５の後方上面部８の連出端にのみ内折り片１２が内側に折り返し可能に連出されており、前方上面部７の連出端の内折り片１１が省略されていて、前方上面部７の上面に後方上面部８が重なっている。その他の構成は第１実施例と実質的に同じであるため、同一部材には同一符号を付して説明を省略する。この場合、前方上面部７の内折り片１１が省略されている分だけ全体の材料コストを低減化できる。
【００２９】
（第４実施例）　図７ないし図８は、本発明にかかるポケットティッシュの第４実施例を示しており、図７に示すごとく、ティッシュ２の上面２ｂの前方部分を前方上面部７で覆うとともに、ティッシュ２の上面２ｂの後方部分を後方上面部８で覆ったときには、前方上面部７と後方上面部８とは重ならず、前方上面部７と後方上面部８との連出端どうしがティッシュ２の上面２ｂ側で突き合わされるようになっている。
【００３０】
また、第１実施例と同様に、前記前方上面部７の連出端には内折り片１１が内側に折り返し可能に連出されており、前記後方上面部８の連出端には内折り片１２が内側に折り返し可能に連出されている。そして、下面部６の左右端縁６ａ・６ａに対して、前方上面部７の左右端縁縁７ａ・７ａと、後方上面部８の左右端縁８ａ・８ａと、内折り片１１の左右端縁１１ａ・１１ａと、内折り片１２の左右端縁１２ａ・１２ａとがそれぞれ熱融着されて袋状に形成されている（図８の状態）。
【００３１】
この状態で、前方上面部７の連出端と後方上面部８の連出端とが突き合わせ状に接触しており、この突き合わせ間が取出口４になっている。これによれば、図９に示すごとく、前方上面部７と後方上面部８との間を前後に押し拡げるだけで、取出口４を容易に大きく開口状態にすることができ、取出口４からティッシュ２を容易に取り出すことができる。その他の構成は第１実施例と実質的に同じであるため、同一部材には同一符号を付して説明を省略する。なお、取出口４を閉じた状態（図８の状態）で、前方上面部７の連出端と後方上面部８の連出端との間に隙間があってもよい。
【００３２】
（第５実施例）　図１０および図１１は、本発明にかかるポケットティッシュの第５実施例を示しており、図１１に示すごとく、袋３を構成する袋基材１５は、ティッシュ２の下面２ａ側を受ける下面部１６と、下面部１６の前方（図１１の左側）に連なってティッシュ２の上面２ｂ全体を覆う上面部１７とを有する。
【００３３】
上面部１７の連出端（図１１の左側）には、内折り片１８が内側に折り返し可能に連出されており、下面部１６の後側の連出端（図１１の右側）には、内折り片１９が内側に折り返し可能に連出され、さらに内折り片１９の連出端（図１１の右側）に、外折り片２０が外側に折り返し可能に連出されている。
【００３４】
そして、図１０に示すごとく、下面部１６の後側の内折り片１９が内側に折り返されるとともに外折り片２０が外側にＶ字状に折り返され、さらに上面部１７側の内折り片１８が、内側に折り返されて前記内折り片１９および外折り片２０の間に嵌入される。この状態で下面部１６の左右端縁１６ａ・１６ａに対して、上面部１７の左右端縁１７ａ・１７ａと、内折り片１８・１９の左右端縁１８ａ・１８ａ・１９ａ・１９ａと、外折り片２０の左右端縁２０ａ・２０ａとをそれぞれヒートシールして袋状に形成した。
【００３５】
図１０に示すごとく、内外に重なる上面部１７側の内折り片１８と、下面部１６側の内折り片１９および外折り片２０との間に、常態では閉じられた開閉可能な取出口４が形成されることになる。その他の構成は第１実施例と実質的に同じであるため、同一部材には同一符号を付して説明を省略する。
【００３６】
使用の際には、上面部１７側の内折り片１８が、下面部１６側の内折り片１９および外折り片２０との間から外されて、内折り片１８を上方に、下面部１６側の内折り片１９および外折り片２０を下方にそれぞれ押し拡げると、取出口４が開口状態になり、この取出口４からティッシュ２を外部に順次取り出すことができる。
【００３７】
このように第５実施例では、図１０に示すごとく取出口４が、ポケットティッシュの側面に形成されるので目立ち難くなり、ポケットティッシュの外観がよくなる。
【００３８】
本発明にかかるは、図１２や図１３に示す公知の構成のポケットティッシュの袋基材に適用することも可能である。なお、図１３に示す構成のポケットティッシュでは、ティッシュ２の取出口４を形成するために袋３１の下面部３３にミシン目３４が設けられている。図１２に示す構成のポケットティッシュにも、必要に応じてミシン目を設けることができる。
【００３９】
本発明の有効性を確認するために、本発明のポケットティッシュとして以下の２種類をサンプル製造して使用感を確かめるとともに、従来のポケットティッシュの使用感と比較した。なお、各ポケットティッシュの袋３の形態は、図１２に示す公知の形態にしてある。
《サンプル１》
袋基材５の厚み　　　　　　　　　　３０μｍ
包装するティッシュ２　　　　　　　（１２．５ｇ×２枚）を８組
《サンプル２》
袋基材５の厚み　　　　　　　　　　４０μｍ
包装するティッシュ２　　　　　　　（１２．５ｇ×２枚）を８組
《従来品》
材質　　　　　　　　　　　　　　　無延伸ポリプロピレン（ＣＰＰ）
袋基材５の厚み　　　　　　　　　　３０μｍ
包装するティッシュ２　　　　　　　（１２．５ｇ×２枚）を８組
【００４０】
前述のサンプル１・２と従来品とを、それぞれ女性８名および男性４名の合計１２名に使用させて以下の結果を得た。
【００４１】
この結果を表１に示す。
【００４２】
【表１】
2004081704.tif 000003
【００４３】
サンプル１・２は共に、使用者のほぼ全員が、装３からティッシュ２を取り出す際の音（使用時の音）が気にならなず、装３の角などが手などの肌に当たっても痛くなくて、袋全体はソフトで良いといった感想を持ち、さらにティッシュ２は取り出し易く、従って使い易いといった感想を持ち、従来品よりも良好な結果を得ることができた。
【図面の簡単な説明】
【図１】第１実施例のポケットティッシュを示す縦断面図
【図２】第１実施例に係る袋基材の展開図
【図３】第１実施例のポケットティッシュの斜視図
【図４】第１実施例のポケットティッシュの使用状態を示す斜視図
【図５】第２実施例のポケットティッシュを示す縦断面図
【図６】第３実施例のポケットティッシュを示す縦断面図
【図７】第４実施例のポケットティッシュを示す縦断面図
【図８】第４実施例のポケットティッシュの斜視図
【図９】第４実施例のポケットティッシュの使用状態を示す斜視図
【図１０】第５実施例のポケットティッシュを示す縦断面図
【図１１】第５実施例に係る袋基材の展開図
【図１２】従来のポケットティッシュを示す縦断面図
【図１３】従来のポケットティッシュを示す縦断面図
【符号の説明】
１　ポケットティッシュ
２　ティッシュ
３　袋
４　取出口
５　袋基材
６　下面部
６ａ　下面部の左右端縁
７　前方上面部
７ａ　前方上面部の左右端縁
８　後方上面部
８ａ　後方上面部の左右端縁
１１　前方上面部の内折り片
１１ａ　前方上面部の内折り片の左右端縁
１２　後方上面部の内折り片
１２ａ　後方上面部の内折り片の左右端縁
【図１】
2004081704.tif 000004
【図２】
2004081704.tif 000005
【図３】
2004081704.tif 000006
【図４】
2004081704.tif 000007
【図５】
2004081704.tif 000008
【図６】
2004081704.tif 000009
【図７】
2004081704.tif 000010
【図８】
2004081704.tif 000011
【図９】
2004081704.tif 000012
【図１０】
2004081704.tif 000013
【図１１】
2004081704.tif 000014
【図１２】
2004081704.tif 000015
【図１３】
2004081704.tif 000016